(57)【要約】【課題】  デジタルカメラの高機能化に伴い、各種設定項目を容易に再現可能にする。【解決手段】  設定情報を保存するデジタルカメラ１の操作部材を操作し、着脱可能記憶媒体に設定情報を保存する。複製先となるデジタルカメラ２において上記着脱可能記憶媒体複製する際に、デジタルカメラ１とデジタルカメラ２が同一機種であるかどうかを判断し、さらに複製可能な設定情報を表示し、利用者に選択させることにより、容易に各種設定項目を複製する。【選択図】        図１
2005227946.tif 000002
【特許請求の範囲】
【請求項１】
情報をデジタル化して保存するデジタル入力装置において、機種名、それ自身の動作、機能を表現する設定情報を着脱可能記憶媒体に保存する手段を設け、
着脱可能記憶媒体に保存された設定情報を自身に複製する手段を有し、
着脱可能記憶媒体に保存された設定情報の機種名と自身の機種名が一致するか否かを判断する手段を設け、
脱可能記憶媒体に保存された設定情報を表示し、複製する設定情報を選択する手段を設けたことを特徴とするデジタル情報入力システムの設定に関する方法。
【請求項２】
情報をデジタル化して保存するデジタル入力装置において、機種名、それ自身の動作、機能を表現する設定情報を着脱可能記憶媒体に保存する手段を設け、
着脱可能記憶媒体に保存された設定情報を自身に複製する手段を有し、
着脱可能記憶媒体に保存された設定情報の機種名と自身の機種名が一致するか否かを判断する手段を設け、
脱可能記憶媒体に保存された設定情報を表示し、複製する設定情報を選択する手段を設けたことを特徴とするデジタル情報入力システムの設定に関する装置。
【発明の詳細な説明】
【技術分野】
【０００１】
本発明は、動画、静止画を主に撮影するデジタルカメラシステム等のデジタル情報入力システムにおいて、特にその自身のそれ自身の動作、機能を表現する設定情報を着脱可能記憶媒体に保存し、着脱可能記憶媒体に保存された設定情報を自身に複製するシステムに関する。
【背景技術】
【０００２】
従来から、デジタルカメラの動作や画質等に関して、使用者が自由に変更、更新できる各種設定項目をデジタルカメラ本体の操作部材を利用して使用者が設定を行っていた。さらに、デジタルカメラをパーソナルコンピュータ（ＰＣ）等に接続し、そのＰＣからデジタルカメラの各種設定を取得、設定するようなシステムは実施されていた。
【０００３】
また、たとえば、特許文献１に記載の技術では、情報処理装置の操作環境を着脱可能記憶媒体に保存し、他の情報処理装置においてその操作環境を構築可能にしている。
【特許文献１】特開平８―１９４６０５号公報
【発明の開示】
【発明が解決しようとする課題】
【０００４】
現在、デジタルカメラの高機能化に伴い、各種設定項目数も増加し、また項目の設定可能な値も多様になってきた。また、デジタルカメラは急速に普及し、企業や個人で複数台所有するような状況も増えてきている。このような場合、たとえば、同一機種の複数のデジタルカメラを同一の設定で使用したいという要求が発生することがある。このような要求に対応するためには、利用者が複数のカメラの操作部材を操作し、個々に設定を繰り返す必要があった。また、デジタルカメラが異なる機種の場合、ある機種では設定不可能な項目が存在する場合があり、できる限り同一の設定したいという要求が発生することもある。さらには、機種によっては、設定のための操作部材を用いた操作手順が各々異なっていることもあり、使用者がどのように設定したらよいか、容易に理解できない場合も存在した。
【０００５】
さらに、同一のカメラに複数の各種設定を再現したいという要求も発生することもある。このような要求に対応するときも、使用者は設定を変更する毎に、デジタルカメラの操作部材を操作し、各種設定を繰り返す必要があった。
【０００６】
また、上述の特開平８―１９４６０５号公報に記載の技術においては、デジタルカメラの機種ごとに操作手順が異なっていることや、設定不可能な項目が存在することもあり、着脱可能記憶媒体に保存したアプリケーションによって不足している機能を補うことが不可能な場合に対しては、なんら配慮されていない。
【０００７】
本発明は、以上の点に着目して成されたもので、デジタルカメラの高機能化に伴い、各種設定項目を容易に再現可能にするデジタル情報入力システムの設定に関する方法および装置を提供することを目的とする。
【課題を解決するための手段】
【０００８】
この発明は下記の構成を備えることにより上記課題を解決できるものである。
【０００９】
（１）情報をデジタル化して保存するデジタル入力装置において、機種名、それ自身の動作、機能を表現する設定情報を着脱可能記憶媒体に保存する手段を設け、着脱可能記憶媒体に保存された設定情報を自身に複製する手段を有し、着脱可能記憶媒体に保存された設定情報の機種名と自身の機種名が一致するか否かを判断する手段を設け、脱可能記憶媒体に保存された設定情報を表示し、複製する設定情報を選択する手段を設けたことを特徴とするデジタル情報入力システムの設定に関する方法。
【００１０】
（２）情報をデジタル化して保存するデジタル入力装置において、機種名、それ自身の動作、機能を表現する設定情報を着脱可能記憶媒体に保存する手段を設け、着脱可能記憶媒体に保存された設定情報を自身に複製する手段を有し、着脱可能記憶媒体に保存された設定情報の機種名と自身の機種名が一致するか否かを判断する手段を設け、脱可能記憶媒体に保存された設定情報を表示し、複製する設定情報を選択する手段を設けたことを特徴とするデジタル情報入力システムの設定に関する装置。
【発明の効果】
【００１１】
本発明のデジタル情報入力システムの設定に関する方法および装置は、情報をデジタル化して保存するデジタル入力装置において、機種名、それ自身の動作、機能を表現する設定情報を着脱可能記憶媒体に保存し、着脱可能記憶媒体に保存された設定情報を自身に複製し、着脱可能記憶媒体に保存された設定情報の機種名と自身の機種名が一致するか否かを判断し、脱可能記憶媒体に保存された設定情報を表示し、複製する設定情報を選択するようにすることにより、容易に複数のデジタルカメラを同じ設定もしくは、できるかぎり同一の設定にすることができ、また同一のカメラに複数の各種設定を再現することができる効果がある。
【発明を実施するための最良の形態】
【００１２】
以下本発明を実施するための最良の形態を、実施例により詳しく説明する。
【実施例】
【００１３】
図１は本発明が実施されうるデジタルカメラシステムのブロック図である。
【００１４】
本実施例では、大きく分けて複製元デジタルカメラなどの情報入力装置１００（以下デジタルカメラ１）と複製先デジタルカメラなどの情報入力装置２００（以下デジタルカメラ２）に分かれる。デジタルカメラ１とデジタルカメラ２の構成は同一とし、どちらが複製元にも複製先にもなれるが、説明の便宜上、デジタルカメラ１が複製元、デジタルカメラ２が複製先とする。
【００１５】
１００デジタルカメラは、レンズ、ＣＣＤ、駆動回路等を含んだ光学ユニット（１０５）、画像データ等を処理する信号処理回路（１０４）、ＣＰＵ等の演算装置（１０３）、ＤＲＡＭ等の一時記憶装置（１０６）、内蔵フラッシュＲＯＭ等の二次記憶装置（１０７）、操作部材（１０８）、ＬＣＤ液晶等の表示装置（１０９）、プログラム格納等に使用されるＲＯＭ等の読出し専用メモリ（１１０）、コンパクトフラッシュ（Ｒ）メモリカード等の着脱可能記憶媒体（１１１）、パーソナルコンピュータ（ＰＣ）との接続を管理する通信制御装置（１０２）から構成される。
【００１６】
また、デジタルカメラ２の構成も前述したようにデジタルカメラ１と同一なので、説明は省略する。
【００１７】
次に、本発明の第一の実施例で使用される設定項目保存方法について図２に示し、説明する。
【００１８】
まず使用者は複製元となるデジタルカメラ１の操作部材を操作し、着脱可能記憶媒体に複製元の設定情報を保存する設定保存機能を起動する（Ｓ５０１）。
【００１９】
次に、デジタルカメラ１は使用者に対し、ＬＣＤ液晶等の表示装置（１０９）に、すべての設定情報を保存するか、保存する設定情報を選択するかを表示し、その選択を要求する（Ｓ５０２）。
【００２０】
Ｓ５０２において、使用者がデジタルカメラ１の操作部材（１０８）を操作して、すべての設定情報を保存することを選択した場合、デジタルカメラ１はすべての設定情報を着脱可能記憶媒体に保存し（Ｓ５０３）、設定保存機能を終了する。
【００２１】
Ｓ５０２において、使用者が保存する設定情報を選択することを選択した場合、デジタルカメラ１は、保存する設定項目を使用者に選択させる複製項目選択機能を起動する（Ｓ５０４）。
【００２２】
次に、デジタルカメラ１は、ＬＣＤ液晶等の表示装置（１０９）に、設定情報の項目を表示し、使用者はデジタルカメラ１の操作部材（１０８）を操作して、表示された項目を基に保存する設定情報を選択する。デジタルカメラ１は、選択された設定情報を着脱可能記憶媒体に保存し（Ｓ５０５）、複製項目選択機能ならびに設定保存機能を終了する。
【００２３】
次に、着脱可能記憶媒体に保存された設定情報を複製先となるデジタルカメラ２に複製する、設定複製機能の実施例について図３に示し、説明する。
【００２４】
使用者は、複製先となるデジタルカメラ２に設定情報が保存された着脱可能記憶媒体を装着した後、デジタルカメラ２の操作部材（１０８）操作部材を操作し、設定複製機能を起動する（Ｓ６０１）。デジタルカメラ２は、デジタルカメラ２内の着脱可能記憶媒体に、設定情報が保存されているかどうかを判断する（Ｓ６０２）。
【００２５】
Ｓ６０２において、着脱可能記憶媒体に設定情報が保存されていなければ、エラー処理を行う。このエラー処理については、本発明と深くは関係しないので詳しくは説明しないが、使用者に対し、着脱可能記憶媒体に設定情報が保存されていないことを知らしめて、設定複製機能を終了してもよいし、デジタルカメラ２に設定情報が保存されている着脱可能記憶媒体の装着を促し、その装着を待機することにしてもよい。
【００２６】
Ｓ６０２において、デジタルカメラ２内の着脱可能記憶媒体に、設定情報が保存されている場合には、その保存されているデジタルカメラ１の設定情報から、デジタルカメラ１とデジタルカメラ２と同機種かどうかを判断する（Ｓ６０３）。
【００２７】
Ｓ６０３において、デジタルカメラ１とデジタルカメラ２が同機種の場合、デジタルカメラ２は使用者に対し、ＬＣＤ液晶等の表示装置（１０９）に、すべての設定情報を複製するか、複製する設定情報を選択するかを表示し、その選択を要求する（Ｓ６０４）。
【００２８】
Ｓ６０４において、使用者が、すべての設定情報を複製することを選択した場合、デジタルカメラ２はすべての設定情報をデジタルカメラ２自身に設定し（Ｓ６０７）、設定複製機能を終了する。
【００２９】
Ｓ６０４において、使用者が複製する設定情報を選択することを選択した場合、デジタルカメラ２は、ＬＣＤ液晶等の表示装置（１０９）に、着脱可能記憶媒体に保存されている設定情報の項目を表示し（Ｓ６０５）、使用者はデジタルカメラ２の操作部材（１０８）を操作して、表示された項目を基に複製する設定情報を選択し（Ｓ６０６）、デジタルカメラ２は選択された設定情報をデジタルカメラ２自身に設定し（Ｓ６０７）設定複製機能を終了する。
【００３０】
たとえば、着脱可能記憶媒体に、ＡＡＡ−１００という機種名のデジタルカメラの「フラッシュ：入、デジタルズーム：２倍、起動音：入り」の設定項目が保存されていたとする。この場合、デジタルカメラ２の機種名は「ＡＡＡ−１００」である。表示装置には、図４のように表示され、使用者はデジタルカメラ２の操作部材を操作して、複製したい設定項目を選択する。図５は、利用者が複製した設定項目を選択した後の状態であり、「○」は設定する、「×」は設定しないを意味する。
【００３１】
Ｓ６０３において、デジタルカメラ１とデジタルカメラ２が同機種でない場合、デジタルカメラ２は、ＬＣＤ液晶等の表示装置（１０９）に、デジタルカメラ１とデジタルカメラ２が、同機種でないことを知らしめ、設定複製機能を終了するか、複製可能な設定情報を複製するかを表示し、その選択を要求する（Ｓ６０８）。
【００３２】
Ｓ６０８において、使用者が、設定複製機能を終了する、を選択した場合、デジタルカメラ２は設定複製機能を終了する。
【００３３】
Ｓ６０８において、使用者が、複製可能な設定情報を複製する、を選択した場合、デジタルカメラ２は、ＬＣＤ液晶等の表示装置（１０９）に、着脱可能記憶媒体に保存されている複製可能な設定情報の項目を表示し（Ｓ６０５）、使用者はデジタルカメラ２の操作部材（１０８）を操作して、表示された項目を基に複製する設定情報を選択し（Ｓ６０６）、デジタルカメラ２は選択された設定情報をデジタルカメラ２自身に設定し（Ｓ６０７）設定複製機能を終了する。
【００３４】
たとえば、着脱可能記憶媒体に、ＡＡＡ−１００という機種名のデジタルカメラの「フラッシュ：入、デジタルズーム：２倍、起動音：入り」の設定項目が保存されていて、デジタルカメラ２の機種名は「ＢＢＢ−２００」と異なり、フラッシュ機能を有しないデジタルカメラとする。表示装置には、図６のように表示され、ＢＢＢ−２００はフラッシュ機能を有しないため「入」に設定することが出来ないため、グレーアウトされ、選択することができない。
【００３５】
使用者はデジタルカメラ２の操作部材を操作して、設定可能な複製したい設定項目を選択する。図７は、利用者が複製した設定項目を選択した後の状態であり、「○」は設定する、「×」は設定しないを意味する。
【図面の簡単な説明】
【００３６】
【図１】本発明実施例の構成を示すブロック図
【図２】本発明の実施例で使用される、設定保存機能についてのフローチャート
【図３】本発明の実施例で使用される、設定複製機能についてのフローチャート
【図４】本発明の実施例で使用される、表示装置に表示される内容を示す図
【図５】本発明の実施例で使用される、表示装置に表示される内容を示す図
【図６】本発明の実施例で使用される、表示装置に表示される内容を示す図
【図７】本発明の実施例で使用される、表示装置に表示される内容を示す図
【符号の説明】
【００３７】
１００  デジタルカメラ
１０１  情報処理装置
１０２  通信制御装置
１０３  演算装置
１０４  信号処理装置
１０５  光学ユニット
１０６  一次記憶装置
１０７  二次記憶装置
１０８  操作部材
１０９  表示部材
１１０  読み出し専用メモリ
１１１  着脱可能記憶媒体
【図１】
2005227946.tif 000003
【図２】
2005227946.tif 000004
【図３】
2005227946.tif 000005
【図４】
2005227946.tif 000006
【図５】
2005227946.tif 000007
【図６】
2005227946.tif 000008
【図７】
2005227946.tif 000009